(57)【特許請求の範囲】
【請求項１】
入射面から入射した光を長手方向に延びた線状の光として出射する、当該長手方向に交差する方向に移動される導光体と、
光を出射する光源と、
前記光源から出射した光を、前記入射面まで導く光ファイバとを備え、
前記光ファイバの出射端面は、前記導光体の前記長手方向に沿った面であり、当該導光体が移動される前に、当該長手方向に交差する方向にて前記光源が配置された位置とは逆側の面に設けられていることを特徴とする画像読取装置。
【請求項２】
前記導光体を、前記長手方向に対して交差する方向に移動させる走査体を備え、
前記光源が、前記走査体を支持している本体に配置されている請求項１に記載の画像読取装置。
【請求項３】
前記光源が固定された部材に、当該光源が発する熱を放熱する放熱部材を備えた請求項１に記載の画像読取装置。
【請求項４】
前記光源と前記光ファイバの入射面との間に縮小光学系を備えた請求項１に記載の画像読取装置。
【請求項５】
前記導光体の、前記光ファイバから出射された光が入射される入射面が、前記長手方向に直交する面に対して傾斜して形成されている請求項１に記載の画像読取装置。
【請求項６】
前記光ファイバの先端部が、前記導光体の前記長手方向の両端よりも内側の領域に配置されている請求項１に記載の画像読取装置。
【請求項７】
前記長手方向に対して交差する方向に移動させ、前記走査体とは異なる他の走査体を有し、
前記光ファイバは、前記長手方向に対して交差する方向にて、前記他の走査体の、前記光源に向かう側とは逆側を通ることを特徴とする請求項２に記載の画像読取装置。
【請求項８】
前記他の走査体の、前記光源に向かう側とは逆側に、滑車が設けられており、
前記光ファイバは、前記滑車に巻き掛けられていることを特徴とする請求項７に記載の画像読取装置。
【発明の詳細な説明】
【技術分野】
【０００１】
本発明は、画像読取装置に関する。
【背景技術】
【０００２】
原稿に光を照射して画像を読み取り、画像を形成する画像形成装置として、軸方向の一端に光取込部が設けられ、外周面に軸方向に延びるローレット溝が設けられた円柱状の導光体と、ＬＥＤよりなる光源とを備えたものがある（例えば、特許文献１参照）。
【先行技術文献】
【特許文献】
【０００３】
【特許文献１】特開２００８−２７５６８９号公報
【発明の概要】
【発明が解決しようとする課題】
【０００４】
画像読取装置における導光体は、導光体の長手方向の端の面に、光の入射面が設定されていて、光源は、この入射面に対向して配置されている。
本発明は、光源の配置の自由度を高くした画像読取装置を提供することを目的とする。
【課題を解決するための手段】
【０００５】
請求項１に係る発明は、入射面から入射した光を長手方向に延びた線状の光として出射する、当該長手方向に交差する方向に移動される導光体と、光を出射する光源と、前記光源から出射した光を、前記入射面まで導く光ファイバとを備え、前記光ファイバの出射端面は、前記導光体の前記長手方向に沿った面であり、当該導光体が移動される前に、当該長手方向に交差する方向にて前記光源が配置された位置とは逆側の面に設けられていることを特徴とする画像読取装置である。
請求項２に係る発明は、前記導光体を、前記長手方向に対して交差する方向に移動させる走査体を備え、前記光源が、前記走査体を支持している本体に配置されている請求項１に記載の画像読取装置である。
請求項３に係る発明は、前記光源が固定された部材に、当該光源が発する熱を放熱する放熱部材を備えた請求項１に記載の画像読取装置である。
請求項４に係る発明は、前記光源と前記光ファイバの入射面との間に縮小光学系を備えた請求項１に記載の画像読取装置である。
請求項５に係る発明は、前記導光体の、前記光ファイバから出射された光が入射される入射面が、前記長手方向に直交する面に対して傾斜して形成されている請求項１に記載の画像読取装置である。
請求項６に係る発明は、前記光ファイバの先端部が、前記導光体の前記長手方向の両端よりも内側の領域に配置されている請求項１に記載の画像読取装置である。
請求項７に係る発明は、前記長手方向に対して交差する方向に移動させ、前記走査体とは異なる他の走査体を有し、前記光ファイバは、前記長手方向に対して交差する方向にて、前記他の走査体の、前記光源に向かう側とは逆側を通ることを特徴とする請求項２に記載の画像読取装置である。
請求項８に係る発明は、前記他の走査体の、前記光源に向かう側とは逆側に、滑車が設けられており、前記光ファイバは、前記滑車に巻き掛けられていることを特徴とする請求項７に記載の画像読取装置である。
【発明の効果】
【０００６】
請求項１に係る発明によれば、光源の配置の自由度を高くする。
請求項２に係る発明によれば、走査体の寸法を小さくする。
請求項３に係る発明によれば、光源の発光効率の低下を抑制する。
請求項４に係る発明によれば、光源から出射した光のうち光ファイバ内に導く光量を増大させる。
請求項５に係る発明によれば、導光体の入射面に光ファイバの入射端面を対向させた状態で、光ファイバの曲げの曲率を小さくする。
請求項６に係る発明によれば、長手方向の寸法を小さくする。
請求項７に係る発明によれば、本構成を有しない場合と比較して、光ファイバの姿勢が乱れるのを防止する。
請求項８に係る発明によれば、本構成を有しない場合と比較して、光ファイバの姿勢の乱れを防止する。
【図面の簡単な説明】
【０００７】
【図１】本発明の実施の形態に係る画像読取装置を示す図であり、（Ａ）は側部断面図、（Ｂ）は本体の内部を透視した平面図をそれぞれ表す。
【図２】図１に示した画像読取装置の本体の内部を示す斜視図である。
【図３】パワーＬＥＤ及びヒートシンクが、ＣＣＤ基板に取り付けられた様子を示す斜視図である。
【図４】導光体を示す図であり、（Ａ）は矢印Ｚ方向に見る平面図、（Ｂ）は矢印Ｘ方向に見る側面図をそれぞれ表す。
【図５】パワーＬＥＤと光ファイバの入射端面との間に縮小光学系が配置された構成を示す模式図であり、（Ａ）は模式的に表した縮小光学系、（Ｂ）は縮小光学系にカラーを備えたもの、（Ｃ）はカラーにスナップフィットを形成したものをそれぞれ表す。
【図６】導光体の他の形態を示す図であり、（Ａ）は矢印Ｚ方向に見る平面図、（Ｂ）は矢印Ｘ方向に見る側面図をそれぞれ表す。
【図７】パワーＬＥＤが中継基板には固定された形態を示す図であり、（Ａ）は斜視図、（Ｂ）は中継基板を含む鉛直面による断面図をそれぞれ表す。
【発明を実施するための形態】
【０００８】
以下、添付図面を参照して、本発明の実施の形態について説明する。
＜画像読取装置の説明＞
図１は、本発明の実施の形態に係る画像読取装置１を示す図であり、（Ａ）は側部断面図、（Ｂ）は本体２０の内部を透視した平面図を示している。図１において、矢印Ｘ方向、矢印Ｙ方向及び矢印Ｚ方向は互いに直交する方向となっている。図２は、図１に示した画像読取装置１の本体２０の内部を示す斜視図である。
図１に示した画像読取装置１は、原稿９０に白色光Ｌを照射し、原稿９０からの反射光Ｋを画像情報として読み取るものである。この画像読取装置１は、本体２０とプラテンカバー１０とを備えている。
【０００９】
プラテンカバー１０は、本体２０の後述する原稿台２２を開閉するように本体２０に取り付けられ、閉じた状態で、原稿台２２に載せられた原稿９０を原稿台２２のプラテンガラス２２ａに押し付けるのに用いられる。
本体２０には、筐体を構成する金属製の装置フレーム２１の上面に、透明で平板状のプラテンガラス２２ａを備えた原稿台２２が形成されている。原稿台２２には、読み取り対象となる原稿９０が載せられる。本体２０の内部には、プラテンガラス２２ａを通して原稿９０に白色光Ｌを照射する照射部３０と、白色光Ｌが照射された原稿９０からの反射光Ｋを受光して、原稿９０の画像を読み取る読取部４０とを備えている。
【００１０】
＜照射部の説明＞
照射部３０は、図示を省略した制御回路によって駆動されることで、例えば白色光Ｌを出射するパワーＬＥＤ３１（光源の一例）と、導光体３３と、光ファイバ３２と、ヒートシンク３４（放熱部材の一例）とを備えている。図３は、パワーＬＥＤ３１及びヒートシンク３４が、ＣＣＤ基板４５に取り付けられた様子を示す斜視図である。パワーＬＥＤ３１は、図３に示すように、ＣＣＤ基板４５に一体に形成されている。ヒートシンク３４は熱を放熱するものであり、パワーＬＥＤ３１とともにＣＣＤ基板４５に設けられている。そして、ヒートシンク３４は、ＣＣＤ基板４５を介してパワーＬＥＤ３１の発する熱を放熱する。
【００１１】
図４は、導光体３３を示す図であり、（Ａ）は矢印Ｚ方向に見る平面図、（Ｂ）は矢印Ｘ方向に見る側面図をそれぞれ表す。導光体３３は、図４に示すように、原稿９０（図１参照）の幅方向である矢印Ｙ方向に長手方向（以下、長手方向Ｙということもある。）を有する柱状に形成されている。この導光体３３は、長手方向Ｙの一方の端部（図４において左端部）に、白色光Ｌが入射する入射面３３ａが形成されている。この入射面３３ａは、一例として長手方向Ｙに直交する面であるが、長手方向Ｙに直交する面に限定されるものではなく、長手方向Ｙに対して交差する面での構成を適用し得る。
導光体３３は、長手方向Ｙが後述するフルレートキャリッジ５１（走査体の一例：図１参照）の延びた方向に沿うように、フルレートキャリッジ５１に固定されている。
【００１２】
また、図４（Ｂ）に示すように、この導光体３３の柱状の周面のうち矢印Ｚ方向の下側の少なくとも一部には、ローレット状の溝３３ｃが形成されている。そして、導光体３３は、入射面３３ａから内部に入射した白色光Ｌを、ローレット状の溝３３ｃによって形成された反射面で反射することで、長手方向Ｙに延びた線状の白色光Ｌを、原稿台２２（図１参照）上の原稿９０に向けて出射する。
【００１３】
光ファイバ３２は、例えば、断面の直径が０．２５［ｍｍ］以上１．０［ｍｍ］以下の太さに形成されている。この光ファイバ３２は、照明用のものであればよく、例えば、高純度ポリメチルメタクリレート（ＰＭＭＡ）等を用いたプラスチック製の光ファイバを適用し得る。
図３に示すように、光ファイバ３２の入射端面３２ａの側は、断面Ｐ字形状のクランプ４７ａに支持され、クランプ４７ａはＬ字形状の金具４７ｂでＣＣＤ基板４５に固定されている。これにより、光ファイバ３２の入射端面３２ａは、パワーＬＥＤ３１における白色光Ｌの発光面に対向して固定されている。
光ファイバ３２の出射端面３２ｂ（図４参照）の側は、出射端面３２ｂを導光体３３の入射面３３ａに対向させた状態で、フルレートキャリッジ５１（図１参照）に固定されている。
この構成により、光ファイバ３２は、パワーＬＥＤ３１から出射した白色光Ｌを、導光体３３の入射面３３ａまで導く。
【００１４】
図１に示すように、読取部４０は、フルレートキャリッジ５１と、ハーフレートキャリッジ５２と、イメージセンサであるＣＣＤ４４と、処理回路４６とを備えている。ＣＣＤ４４は、ＣＣＤ基板４５に形成されている。ＣＣＤ基板４５は、動かない装置フレーム２１に固定されている。
フルレートキャリッジ５１及びハーフレートキャリッジ５２はそれぞれ、矢印Ｙ方向に沿って延び、装置フレーム２１に支持されている。フルレートキャリッジ５１及びハーフレートキャリッジ５２はそれぞれ、図示を省略したモータ及び駆動系によって、装置フレーム２１に対して矢印Ｘ方向に沿って移動する。
【００１５】
ここで、フルレートキャリッジ５１は、プラテンガラス２２ａの矢印Ｘ方向に沿った全長に亘って移動する。ハーフレートキャリッジ５２は、フルレートキャリッジ５１の移動する長さの半分だけ移動する。また、ハーフレートキャリッジ５２の移動する速度は、フルレートキャリッジ５１の移動する速度に半分に設定されている。
フルレートキャリッジ５１には、前述したように導光体３３が固定されているため、導光体３３は、フルレートキャリッジ５１の移動に伴い、長手方向Ｙに交差する矢印Ｘ方向に移動される。
【００１６】
フルレートキャリッジ５１及びハーフレートキャリッジ５２にはそれぞれ、導光体３３から出射され矢印Ｙ方向に延びた線状の白色光Ｌによって照射された原稿９０からの線状の反射光Ｋを、ＣＣＤ４４まで導くミラーが設けられている。
具体的には、フルレートキャリッジ５１には、原稿９０からの線状の反射光Ｋをハーフレートキャリッジ５２に向けて反射する第１ミラー４１が設けられている。ハーフレートキャリッジ５２には、第１ミラー４１で反射された反射光ＫをＣＣＤ４４に向けて反射させる第２ミラー４２及び第３ミラー４３が設けられている。
なお、第１ミラー４１、第２ミラー４２及び第３ミラー４３はいずれも、反射面が平面で、かつプラテンガラス２２ａの、矢印Ｙ方向に沿った全幅に亘る寸法に形成されている。
フルレートキャリッジ５１とハーフレートキャリッジ５２とが同期して、上述した速度の関係で矢印Ｘ方向に動くことで、フルレートキャリッジ５１及びハーフレートキャリッジ５２の、矢印Ｘ方向に沿った位置に拘わらず、原稿９０から出射した反射光Ｋの、原稿９０からＣＣＤ４４までの光路の長さが変わらないようにしている。
【００１７】
ハーフレートキャリッジ５２の、矢印Ｘ方向に沿った進行方向の後ろ側には、回転自在の滑車５３が設けられている。この滑車５３には、入射端面３２ａ（図３参照）から出射端面３２ｂ（図４参照）までの白色光Ｌの光路を折り返すようにハーフレートキャリッジ５２の進行方向（矢印Ｘ方向）後ろ側を回り込んで配置された光ファイバ３２が巻き掛けられている。この滑車５３は、フルレートキャリッジ５１及びハーフレートキャリッジ５２の動きに伴って動く光ファイバ３２の姿勢が乱れるのを防止する。
【００１８】
ＣＣＤ４４は、幅（矢印Ｙ方向に沿った寸法）が第１ミラー４１、第２ミラー４２及び第３ミラー４３の長さよりも短く形成されていて、例えば高さ（矢印Ｚ方向に沿った寸法）５０［ｍｍ］×幅２００［ｍｍ］のＣＣＤ基板４５上に形成されている。第３ミラー４３とＣＣＤ４４との間（第３ミラー４３及びＣＣＤ４４を含まない）の、反射光Ｋの光路上には、図示を省略した結像光学系が設けられている。この結像光学系は、第３ミラー４３で反射された線状の反射光Ｋの幅（矢印Ｙ方向に沿った寸法）を、ＣＣＤ４４の幅まで縮小し、反射光Ｋによる像をＣＣＤ４４に結像させる。
ＣＣＤ４４は、反射光Ｋの像を光電変換により電気信号に変換する。処理回路４６は、ＣＣＤ４４によって光電変換して得られた電気信号である画像情報に対して、ゲイン・オフセット調整等のアナログ補正処理、Ａ／Ｄ変換処理、シェーディング補正処理及び遅延処理等の処理を施す。
【００１９】
＜照射部及び読取部の動作＞
画像情報の読み取り前において、図１に示すように、フルレートキャリッジ５１及びハーフレートキャリッジ５２は、矢印Ｘ方向への可動範囲の図示左端に停止している。
原稿台２２に載せられた原稿９０を読み取るときは、読取開始の指示の入力を受けて、制御回路（図示省略）がパワーＬＥＤ３１を点灯する。点灯したパワーＬＥＤ３１の発光面から出射した白色光Ｌは、光ファイバ３２の入射端面３２ａ（図３参照）から光ファイバ３２の内部に入射し、光ファイバ３２の内部を全反射を繰り返して出射端面３２ｂ（図４参照）に向けて進行する。
光ファイバ３２の出射端面３２ｂから出射した白色光Ｌは、導光体３３の入射面３３ａから導光体３３の内部に入射し、ローレット状の溝３３ｃ（図４（Ｂ）参照）によって形成された反射面で反射されて、長手方向Ｙに延びた線状の白色光Ｌを、原稿台２２上の原稿９０に向けて出射する。
【００２０】
原稿台２２上に載せられた原稿９０は、長手方向Ｙに延びた線状の白色光Ｌを照射され、原稿９０からは、原稿９０の画像による、長手方向Ｙに延びた線状の反射光Ｋが出射する。この線状の反射光Ｋは、フルレートキャリッジ５１に設けられた第１ミラー４１に到達し、第１ミラー４１によって、ハーフレートキャリッジ５２の第２ミラー４２に反射され、さらに第３ミラー４３によって反射される。
第３ミラー４３で反射された線状の反射光Ｋは、図示を省略した結像光学系により、矢印Ｘ方向の長さが縮小されて、反射光Ｋによる像がＣＣＤ４４に結像される。
ＣＣＤ４４は、反射光Ｋの像を画像情報に光電変換して処理回路４６に出力する。
【００２１】
以上説明した、パワーＬＥＤ３１からの白色光Ｌの出射から、ＣＣＤ４４による光電変換処理までの一連の動作中に、フルレートキャリッジ５１及びハーフレートキャリッジ５２は、図示を省略したモータ及び駆動系によって、装置フレーム２１に対して矢印Ｘ方向に沿って同期して移動する。このとき、フルレートキャリッジ５１は原稿台２２の全長に亘って移動し、ハーフレートキャリッジ５２は、フルレートキャリッジ５１の半分の長さまで移動する。
そして、導光体３３から出射した線状の白色光Ｌが原稿９０に対して照射する領域が、フルレートキャリッジ５１の移動に伴って矢印Ｘ方向に移動し、反射光Ｋが出射する領域も矢印Ｘ方向に移動する。フルレートキャリッジ５１が、移動範囲の端まで到達する間に、原稿９０の全面に白色光Ｌが照射され、これにより、原稿９０の全面から反射光Ｋが出射し、ＣＣＤ４４により、原稿９０の全面に対応した画像情報が取得される。
【００２２】
本実施の形態の画像読取装置１は、パワーＬＥＤ３１が装置フレーム２１が配置されている構成であり、移動する導光体３３の入射面３３ａに対向する位置には配置されていない。したがって、本実施の形態の画像読取装置１は、パワーＬＥＤ３１を導光体３３の入射面３３ａに対向する位置に配置するしかなかった画像読取装置に比べて、パワーＬＥＤ３１の配置の自由度が高められている。
【００２３】
また、パワーＬＥＤ３１を装置フレーム２１に配置した構成により、パワーＬＥＤ３１の発熱を放熱するヒートシンク３４も、フルレートキャリッジ５１を支持している装置フレーム２１に配置されていて、移動するフルレートキャリッジ５１には搭載されていない。したがって、ヒートシンク３４の配置の自由度も高められている。
しかも、本実施の形態の画像読取装置１は、ヒートシンク３４が装置フレーム２１に配置されていることにより、ヒートシンク３４がフルレートキャリッジ５１に配置されている画像読取装置よりも、ヒートシンク３４の周囲の空間が広くなる。したがって、本実施の形態の画像読取装置１は、ヒートシンク３４がフルレートキャリッジ５１に配置されている画像読取装置よりも、周囲の空気との熱交換の効率が高められる。これにより、パワーＬＥＤ３１の熱の放熱性能が高められて、発光効率の低下が抑制される。
また、本実施の形態の画像読取装置１は、ヒートシンク３４の周囲の空間が広くなることで、寸法の大きいヒートシンク３４を適用し得る。この場合、寸法の大きなヒートシンク３４は小さいものに比べて放熱性能が高いため、パワーＬＥＤ３１の熱をさらに効率的に放熱する。
【００２４】
さらに、パワーＬＥＤ３１及びヒートシンク３４が、導光体３３の入射面３３ａに対向する位置に配置されている画像読取装置では、パワーＬＥＤ３１及びヒートシンク３４が、導光体３３の長手方向Ｙの端部の外側に配置されている。
これに対して、本実施の形態の画像読取装置１は、パワーＬＥＤ３１及びヒートシンク３４が装置フレーム２１に配置されていて、導光体３３の長手方向Ｙの端部の外側には配置されていない。したがって、本実施の形態の画像読取装置１は、導光体３３の端部からの突出量ｙ１（図４参照）を少なくする。
これにより、この導光体３３を固定したフルレートキャリッジ５１の矢印Ｙ方向に沿った寸法が短くなるとともに、フルレートキャリッジ５１の重量が軽くなる。
【００２５】
本実施の形態の画像読取装置１は、フルレートキャリッジ５１に、例えばパワーＬＥＤ３１に代表される、電力を消費する部品が設けられていないため、本体２０とフルレートキャリッジ５１とを、電力を供給するためのフレキシブルフラットケーブル（ＦＦＣ）で繋ぐ必要が無い。フレキシブルフラットケーブルは金属の導線を内包しているため、電磁波を受信するアンテナとなり得る。そして、フレキシブルフラットケーブルは、フルレートキャリッジ５１の動きにより動くため、偶発的に周囲の電磁波を受信することが起こり得る。
本実施の形態の画像読取装置１は、フレキシブルフラットケーブルを有しないため、周囲の電磁波を受信することがない。
上述した実施の形態の画像読取装置１において、光ファイバ３２は単一の光ファイバとして説明したが、屈曲性能を満足する範囲で、複数本の光ファイバ３２を束ねた光ファイバ束として適用し得る。
【００２６】
＜光ファイバの入射面における他の形態＞
光ファイバ３２は、ハーフレートキャリッジ５２の後ろ側を回りこんで折り返す姿勢で配置されるため、ある程度の屈曲性を有することが求められる。光ファイバ３２の屈曲性は、断面の直径が小さくなるにしたがって向上する。本実施の形態の画像読取装置１の光ファイバ３２は、例えば断面の直径が０．２５［ｍｍ］以上１．０［ｍｍ］以下であり、求められる屈曲性を満たしている。一方、パワーＬＥＤ３１は、ＬＥＤチップにおける発光面の直径は例えば５．０［ｍｍ］程度である。
このように、パワーＬＥＤ３１の発光面の直径が、光ファイバ３２の断面の直径を上回り、パワーＬＥＤ３１から出射した白色光Ｌの一部しか光ファイバ３２の入射端面３２ａに導かれない場合は、原稿９０に照射される白色光Ｌの光量が低くなる。
【００２７】
図５は、パワーＬＥＤ３１と光ファイバ３２の入射端面３２ａとの間（パワーＬＥＤ３１及び光ファイバ３２の入射端面３２ａを含まない。以下、同じ。）に縮小光学系３６が配置された構成を示す模式図であり、（Ａ）は模式的に表した縮小光学系３６、（Ｂ）は縮小光学系３６にカラー３７を備えたもの、（Ｃ）はカラー３７にスナップフィット３８を形成したもの、をそれぞれ表す。
本実施の形態の画像読取装置１は、例えば図５（Ａ）に示すように、パワーＬＥＤ３１と光ファイバ３２の入射端面３２ａとの間に、パワーＬＥＤ３１から出射した白色光Ｌを光ファイバ３２の入射端面３２ａに導く縮小光学系３６を配置した構成を適用し得る。
この実施の形態の画像読取装置１によると、パワーＬＥＤ３１の発光面から出射した白色光Ｌは、縮小光学系３６によって光ファイバ３２の入射端面３２ａに導かれる。この結果、入射端面３２ａに導かれた白色光Ｌの光量は、縮小光学系３６が無い場合に比べて増え、光ファイバ３２から導光体３３を介して原稿９０に出射される白色光Ｌの光量が増える。
なお、縮小光学系３６としては、例えば、ガラスやアクリル樹脂等により形成された正の屈折力を有するレンズ等であり、テレセントリック光学系も適用し得る。
【００２８】
パワーＬＥＤ３１と光ファイバ３２の入射端面３２ａとの間に縮小光学系３６を備えた構成においては、例えば、図５（Ｂ）に示すように、縮小光学系３６の周囲に、縮小光学系３６を保持するカラー３７を備えた構成を採用し得る。縮小光学系３６の光軸Ｇに沿ったカラー３７の長さは、パワーＬＥＤ３１の発光面を物体面としたとき、光ファイバ３２の入射端面３２ａを像面とする長さに設定されている。
このようにカラー３７が形成された縮小光学系３６を用いたものでは、カラー３７の先端３７ａを、パワーＬＥＤ３１が配置されたＣＣＤ基板４５等に突き当てて固定することで、パワーＬＥＤ３１と縮小光学系３６との間の光軸Ｇ上の距離が一定の長さに維持される。
なお、図５（Ｂ）に示した例では、縮小光学系３６とカラー３７とが一体に形成されているが、縮小光学系３６とカラー３７とが一体に形成されていない構成も適用し得る。
【００２９】
縮小光学系３６にカラー３７を備えた構成においては、図５（Ｃ）に示すように、カラー３７に、ＣＣＤ基板４５を貫通してカラー３７及び縮小光学系３６をＣＣＤ基板４５に固定するスナップフィット３８が形成された構成も適用し得る。
このように、カラー３７にスナップフィット３８が形成されたものでは、カラー３７の先端３７ａを、パワーＬＥＤ３１が配置されたＣＣＤ基板４５等に突き当てたとき、スナップフィット３８がＣＣＤ基板４５に嵌め合わされて、カラー３７及び縮小光学系３６はＣＣＤ基板４５に固定される。
この場合、スナップフィット３８は、カラー３７の全周に２個以上形成されているものでは、１個しか形成されていないものに比べて固定の安定性が高い。
【００３０】
＜導光体の入射面における他の形態＞
本実施の形態の画像読取装置１は、導光体３３の入射面３３ａが、図４（Ａ）に示すように、導光体３３の長手方向Ｙに対して直交する面（直交する面に限定するものではない）で形成されていた。
図６は、入射面１３３ａが、長手方向Ｙに直交する面に対して光ファイバ３２の延びた方向に向けて傾斜して形成されている導光体１３３を示す模式図であり、（Ａ）は矢印Ｚ方向に見る平面図、（Ｂ）は矢印Ｘ方向に見る側面図をそれぞれ示す。
【００３１】
本実施の形態の画像読取装置１は、図４に示した導光体３３に代えて、例えば図６に示す導光体１３３を適用し得る。この導光体１３３は、図６に示すように、入射面１３３ａが、長手方向Ｙに直交する面に対して光ファイバ３２の延びた方向（矢印Ｘ方向）に向けて傾斜して形成されている。具体的には、入射面１３３ａは導光体１３３の長手方向Ｙに沿った面となっている。また、入射面１３３ａから入射した白色光Ｌを、ローレット状の溝１３３ｃによって形成された反射面に向けて反射させる反射面１３３ｄが形成されている。
【００３２】
このように形成された実施の形態の画像読取装置１によれば、導光体３３の長手方向Ｙに交差する方向に延びた光ファイバ３２の出射端面３２ｂを、導光体３３の入射面３３ａの近くで光ファイバ３２を、図４（Ａ）に示したものに比べて大きな曲率で曲げることなく、導光体１３３の入射面１３３ａに対向させる。
この導光体１３３は図４に示した導光体３３に対して、出射端面３２ｂを対向させる光ファイバ３２の曲率が小さい。このため、導光体１３３と組み合わされる光ファイバ３２は、導光体３３と組み合わされる光ファイバ３２よりも、曲げられた部分から外部に漏れる白色光Ｌの量を少なくする。
【００３３】
また、図４に示した導光体３３を備えた画像読取装置１では、出射端面３２ｂの近くで光ファイバ３２は曲げた姿勢とされるが、この曲げの最大の曲率は光ファイバ３２の仕様によって決まっていて、その仕様を超えた曲率で曲げることは困難である。
図４（Ａ）に示すように、光ファイバ３２の、長手方向Ｙにおける、導光体３３の入射面３３ａから外方への突出量ｙ１は、光ファイバ３２の曲げの曲率が大きくなるにしたがって小さくなるが、突出量ｙ１は上述した光ファイバ３２の仕様によって決まる。
【００３４】
一方、図６（Ａ）に示した導光体１３３は、入射面１３３ａ及び反射面１３３ｄが、導光体３３（図４（Ａ）参照）の入射面３３ａよりも長手方向Ｙの外方に形成されているため、導光体１３３の長手方向Ｙの寸法は導光体３３の長手方向Ｙの寸法よりも長くなる。
しかし、導光体１３３が導光体３３よりも長くなる寸法は、入射面１３３ａの傾き角度や反射面１３３ｄの傾き角度等によって短くすることができ、入射面３３ａから突出する光ファイバ３２の突出量ｙ１よりも小さく形成し得る。
したがって、導光体１３３を適用した実施の形態の画像読取装置１は、導光体３３を適用した実施の形態に比べて、導光体１３３が配置されるフルレートキャリッジ５１の長手方向Ｙの寸法が短くなる。
【００３５】
＜パワーＬＥＤの配置の他の形態１＞
図１に示した実施の形態の画像読取装置１は、パワーＬＥＤ３１をＣＣＤ基板４５に配置したものであるが、パワーＬＥＤ３１の配置場所は、ＣＣＤ基板４５に限定されない。
図７は、パワーＬＥＤ３１が中継基板８０に固定された形態を示す図であり、（Ａ）は斜視図、（Ｂ）は中継基板８０を含む鉛直面による断面図をそれぞれ表す。
例えば、図２に示す本体２０の装置フレーム２１には、図７（Ａ）に示すように、制御回路（図示省略）から伸びた配線８１を、他の部位への配線８２に接続するための中継基板８０が設けられている。中継基板８０は、図７（Ｂ)に示すように、装置フレーム２１に密着して固定されている。
そして、画像読取装置１は、ＣＣＤ基板４５に代えて図７に示す中継基板８０に、パワーＬＥＤ３１を配置した構成を適用し得る。
【００３６】
なお、光ファイバ３２の入射端面３２ａの側は、図３に示したのと同様に、断面Ｐ字形状のクランプ４７ａ及びＬ字形状の金具４７ｂなどの固定部材により、ＣＣＤ基板４５や中継基板８０に固定された構造を採用し得るが、図７では、その固定の構造の図示を省略している。
また、図７に示した構成においても、パワーＬＥＤ３１と光ファイバ３２の入射端面３２ａとの間に、図５に示したのと同様に縮小光学系３６を配置した構成を採用し得る。
【００３７】
このように構成された画像読取装置１によっても、パワーＬＥＤ３１を導光体３３の入射面３３ａに対向する位置に配置するしかなかった画像読取装置に比べて、パワーＬＥＤ３１の配置の自由度が高められたものとなる。
また、フルレートキャリッジ５１の矢印Ｙ方向に沿った寸法が短くなるとともに、フルレートキャリッジ５１の重量が軽くなる。
【００３８】
さらに、この画像読取装置１は、パワーＬＥＤ３１が発した熱を放熱する独立したヒートシンク３４（図１参照）を備えていない。しかし、パワーＬＥＤ３１が配置された中継基板８０が、図７（Ｂ）に示すように、装置フレーム２１に密着して固定されているため、パワーＬＥＤ３１が発した熱は、中継基板８０を介して金属製の装置フレーム２１に伝えられる。金属は樹脂やセラミックなどに比べて放熱性に優れているため、装置フレーム２１がヒートシンク３４（図１参照）の機能を発揮して、パワーＬＥＤ３１が発した熱を放熱する。
このように構成された実施の形態の画像読取装置１は、独立したヒートシンク３４を有しないため、独立したヒートシンク３４を有するものと比較して、ヒートシンク３４に関するコストが不要となる。
上述した各実施の形態のパワーＬＥＤ３１は、ＣＣＤ基板４５や中継基板８０を介して本体２０に固定されているが、本発明はこの構成に限定されるものではなく、光源を本体に直接固定させた構成も適用し得る。
【００３９】
＜パワーＬＥＤの配置の他の形態２＞
パワーＬＥＤ３１の配置場所としては、本体２０に限定されるものではなく、フルレートキャリッジ５１に配置した構成も適用し得る。この場合、パワーＬＥＤ３１は、導光体３３の長手方向Ｙの両端よりも内側に対応した領域Ｗ（図１（Ｂ）参照）に配置された構成も適用し得る。
【００４０】
このように、フルレートキャリッジ５１の領域ＷにパワーＬＥＤ３１が配置された構成の画像読取装置１によっても、パワーＬＥＤ３１を導光体３３の入射面３３ａに対向する位置に配置するしかなかった画像読取装置に比べて、パワーＬＥＤ３１の配置の自由度が高められたものとなる。
また、フルレートキャリッジ５１の矢印Ｙ方向に沿った寸法が短くなる。
【００４１】
上述した各実施の形態における導光体３３は、入射面３３ａが、長手方向Ｙの両端部のうち一方の端部に形成されているものであるが、本発明の画像読取装置は、入射面が長手方向の両端部にそれぞれ形成された導光体を適用し得る。この場合、両端部にそれぞれ形成された入射面に、光源からの光を導く光ファイバの出射端面を対向して配置する構成を適用し得る。
【符号の説明】
【００４２】
１…画像読取装置、２０…本体、２１…装置フレーム、３０…照射部、３１…パワーＬＥＤ、３２…光ファイバ、３３…導光体、３３ａ…入射面、３４…ヒートシンク、４５…ＣＣＤ基板、Ｋ…反射光、Ｌ…白色光、Ｙ…長手方向
【図１】
0006413417.tif 000002
【図２】
0006413417.tif 000003
【図３】
0006413417.tif 000004
【図４】
0006413417.tif 000005
【図５】
0006413417.tif 000006
【図６】
0006413417.tif 000007
【図７】
0006413417.tif 000008